(57)【要約】【課題】プリンタ設置先においてもプリンタ鮮鋭度測定が行え、鮮鋭度測定機能を内蔵していないプリンタでも定量的なプリンタ品質管理を可能とする。【解決手段】階調特性が飽和しない撮影条件、この撮影条件下における階調特性、ならびに暗レベルが既知の固体撮像素子を用いた撮影手段と、鮮鋭度測定用パターンを記録した記録媒体を照明系で照明して、前記固体撮像素子を用いた撮影手段で撮影して得られた撮影データを解析して、鮮鋭度を算出する解析手段とを有することを特徴とするプリンタ画質測定システムを提供することにより前記課題を解決する。【選択図】図１
2004239665.tif 000002
【特許請求の範囲】
【請求項１】
階調特性が飽和しない撮影条件、この撮影条件下における階調特性、ならびに暗レベルが既知の固体撮像素子を用いた撮影手段と、
鮮鋭度測定用パターンを記録した記録媒体を照明系で照明して、前記固体撮像素子を用いた撮影手段で撮影して得られた撮影データを解析して、鮮鋭度を算出する解析手段とを有することを特徴とするプリンタ画質測定システム。
【請求項２】
前記記録媒体に、鮮鋭度測定用パターンとともに調整用パターンを記録し、前記固体撮像素子を用いた撮影手段で前記記録媒体をプレ撮影して得られた前記調整用パターンの撮影データによって、本撮影の撮影条件を決定し、前記鮮鋭度測定用パターンを本撮影する請求項１に記載のプリンタ画質測定システム。
【請求項３】
前記記録媒体が透過フィルムの場合には、前記照明系は透過照明であり、前記記録媒体が反射ペーパの場合には、前記照明系は反射照明である請求項１または２に記載のプリンタ画質測定システム。
【請求項４】
前記鮮鋭度測定用パターンとして、ＣＴＦ測定用パターンを用いる請求項１〜３のいずれかに記載のプリンタ画質測定システム。
【請求項５】
前記鮮鋭度測定用パターンを記録するプリンタが医療用プリンタである請求項１〜４のいずれかに記載のプリンタ画質測定システム。
【発明の詳細な説明】
【０００１】
【発明の属する技術分野】
本発明は、プリンタ画質測定システムに係り、特に、プリンタの鮮鋭度を容易に測定し、定量的なプリンタの品質管理を可能とするプリンタ画質測定システムに関する。
【０００２】
【従来の技術】
従来から、医療分野においては、Ｘ線等を利用した種々の医療診断に用いられる画像を取得するための装置が用いられており、例えば、Ｘ線撮影装置やＣＲ（コンピューテッドラジオグラフィ）装置、ＣＴ（コンピュータ断層撮影）装置、ＭＲＩ（磁気共鳴イメージング）装置等が実用化されている。
【０００３】
これらの医療診断用（画像取得）装置（モダリティ）により取得された医療診断用画像は、プリンタによりフィルム等の記録材料上にハードコピーとして再生される。この診断画像が再生されたフィルムは、シャーカステンと呼ばれる光源装置にセットされ、背面から光を照射された状態で観察され、専門家による医療診断が行われる。
【０００４】
このような画像による医療診断は、通常モノクロ（白黒）画像を用いて、画像の濃度差によって微細な構造を観察することによって行われる。したがって、鮮鋭度が低く、出力画像の品質が悪いと、誤診の原因ともなるため、日常的にプリンタの品質管理を行うことが重要である。
【０００５】
そこで、従来は、プリンタの鮮鋭度の評価を定量的に行うために、フィルム上に再生された診断画像を、ミクロデンシトメータで測定して、鮮鋭度（ＣＴＦ；Ｃｏｎｔｒａｓｔ  Ｔｒａｎｓｆｅｒ  Ｆｕｎｃｔｉｏｎ）を測っていた。
【０００６】
【発明が解決しようとする課題】
しかしながら、鮮鋭度をミクロデンシトメータで測定する方法では、測定装置が大きく、測定オペレーションが煩雑で、手間がかかり、かつ専門的な機器を用いる測定方法が必要である。従って、このようなプリンタの鮮鋭度の測定を病院等の設置先で行うことは困難であり、病院等の現場では、ＣＴＦを測定できないため、目視検査で代行しているというのが現状である。
このため、定量的なプリンタの品質管理を行う上で大きな支障になっているという問題がある。
【０００７】
本発明は、前記従来の問題に鑑みてなされたものであり、プリンタ設置先においてもプリンタ鮮鋭度測定が行え、鮮鋭度測定機能を内蔵していないプリンタでも定量的なプリンタ品質管理を可能とするプリンタ画質測定システムを提供することを課題とする。
【０００８】
【課題を解決するための手段】
前記課題を解決するために、本発明は、階調特性が飽和しない撮影条件、この撮影条件下における階調特性、ならびに暗レベルが既知の固体撮像素子を用いた撮影手段と、鮮鋭度測定用パターンを記録した記録媒体を照明系で照明して、前記固体撮像素子を用いた撮影手段で撮影して得られた撮影データを解析して、鮮鋭度を算出する解析手段とを有することを特徴とするプリンタ画質測定システムを提供する。
【０００９】
また、前記記録媒体に、鮮鋭度測定用パターンとともに調整用パターンを記録し、前記固体撮像素子を用いた撮影手段で前記記録媒体をプレ撮影して得られた前記調整用パターンの撮影データによって、本撮影の撮影条件を決定し、前記鮮鋭度測定用パターンを本撮影することが好ましい。
【００１０】
また、前記記録媒体が透過フィルムの場合には、前記照明系は透過照明であり、前記記録媒体が反射ペーパの場合には、前記照明系は反射照明であることが好ましい。
【００１１】
さらに、前記鮮鋭度測定用パターンとして、ＣＴＦ測定用パターンを用いることが好ましい。また、前記鮮鋭度測定用パターンを記録するプリンタが医療用プリンタであることが好ましい。
【００１２】
【発明の実施の形態】
以下、本発明のプリンタ画質測定システムについて、添付の図面に示される好適実施形態を基に詳細に説明する。
【００１３】
図１は、本発明に係るプリンタ画質測定システムの第１実施形態の概略を示すブロック図である。
本実施形態は、プリンタの鮮鋭度を測定するために、プリンタから透過フィルムに出力した鮮鋭度測定用パターンを透過照明を用いて固体撮像素子を用いた撮影手段（例えば、デジタルカメラ）で撮影し、撮影データを解析することにより、鮮鋭度を測定するものである。
【００１４】
図１に示すように、本実施形態のプリンタ画質測定システムは、バス１０に、主に、プリンタ（プリンタＡ１２、プリンタＢ１４）、透過フィルム１６を固体撮像素子を用いた撮影手段（例えば、デジタルカメラ）１８で撮影した撮影データを入力して解析する品質管理パソコン（ＱＣ−ＰＣ）２０および各プリンタ等の品質管理をまとめる品質管理センタのパソコン（ＱＣセンタＰＣ）２２等が接続されて構成されている。
【００１５】
プリンタＡ１２は、医療診断用画像をハードコピーとして記録媒体に出力するものであり、プリンタ品質管理（ＱＣ）時には、フィルム（記録媒体）に鮮鋭度測定用パターンを出力する。プリンタＡ１２は、バス１０と接続するためのインターフェイス（Ｉ／Ｆ）１２ａ、自分自身の品質管理データを保持するＱＣメモリ１２ｂを有し、さらに、オペレーションパネル等の働きをするディスプレイ（ユーザＩ／Ｆディスプレイ）１２ｃを有している。
また、プリンタＢ１４についても、プリンタＡ１２と同様である。
【００１６】
なお、プリンタＡ１２には、固体撮像素子を用いた撮影手段１８が撮影した撮影データを品質管理パソコン２０が解析した結果（品質管理情報）が、バス１０を介して送られてくるが、プリンタＡ１２への品質管理情報の入力は、これに限定されるものではなく、品質管理パソコン２４をＵＳＢ／ＲＳ２３２Ｃ等の回線で直接プリンタＡ１２に接続してローカルなネットワークを形成し、手入力でプリンタＡ１２に入力するようにしてもよい。
【００１７】
透過フィルム１６には、後述する鮮鋭度測定用パターンが記録されている。透過フィルム１６は、透過照明、例えばシャーカステン３０上に置かれて固体撮像素子を用いた撮影手段１８によって撮影される。透過照明は特にシャーカステン３０に限定されるものではないが、病院等の現場においては、医療診断画像の診断にシャーカステンが日常よく用いられているため、これを用いれば特に他の透過照明系を用意する必要がなく、便利である。
【００１８】
固体撮像素子を用いた撮影手段１８は、例えば、公知のデジタルカメラ（ＣＣＤカメラ、ＣＭＯＳカメラ）であって、階調特性が飽和しない撮影条件、この撮影条件下における階調特性、ならびに暗レベル（輝度０で撮影した際の出力信号）が既知のものであれば、民生用のデジタルカメラであってもよく、例えば天文用等の科学用デジタルカメラであってもよい。
このような固体撮像素子を用いた撮影手段１８としては、３μｍ〜１５μｍ程度の画素サイズを有するのが好ましく、また、画素数は１０００画素×１０００画素以上であるのが好ましい。また、撮影レンズとして、マクロレンズを用いるのが好ましい。
【００１９】
固体撮像素子を用いた撮影手段１８で撮影した鮮鋭度測定用パターンの撮影データは品質管理パソコン２０に入力される。固体撮像素子を用いた撮影手段１８と品質管理パソコン２０は、グラバボード、ＵＳＢ、ＩＥＥＥ１３９４等の公知のインターフェイスで接続されている。
なお、図に示したプリンタ画質測定システムでは、固体撮像素子を用いた撮影手段１８と品質管理パソコン２０とが接続されており、オンラインで自動的に各種の処理を行うが、本発明はこれに限定されるものではなく、固体撮像素子を用いた撮影手段１８と品質管理パソコン２０とが接続されておらず、オフラインでプリンタの画質測定（鮮鋭度測定）を行うものであってもよい。この場合には、固体撮像素子を用いた撮影手段１８による撮影データをスマートメディア（登録商標）やコンパクトフラッシュ（登録商標）等の記憶媒体に撮影データを記憶し、これを品質管理パソコン２０に供給すればよい。
【００２０】
品質管理パソコン２０は、ＣＰＵやメモリ等を有して構成される、通常のパーソナルコンピュータあるいはワークステーションである。
品質管理パソコン２０は、固体撮像素子を用いた撮影手段１８から入力された鮮鋭度測定用パターンの撮影データを解析して、鮮鋭度を算出する。算出結果は、ネットワークを介して、プリンタＡ１２および品質管理センタのパソコン２２に送られるとともに、品質管理パソコン２０内のＱＣメモリに保存される。
また、品質管理パソコン２０には、ディスプレイ３２およびローカルプリンタ３４が接続されている。
【００２１】
品質管理パソコン２０はこの他、後述する鮮鋭度測定用パターン（あるいは調整用パターン）を発生させ、品質管理を行うプリンタ（例えば、プリンタＡ１２）から出力させたり、固体撮像素子を用いた撮影手段１８がプレ撮影した調整用パターンの撮影データを受け取り、これから本撮影の撮影条件を決定し、この撮影条件で本撮影を行うよう固体撮像素子を用いた撮影手段１８を制御したりする機能を有する。
【００２２】
管理センタパソコン２２は、品質管理情報として、品質管理パソコン２０による鮮鋭度算出結果をネットワーク経由で受け取り保存し、品質管理情報を集中的に管理する。各プリンタがＱＣメモリを備えていない場合でも、管理センタパソコン２２で、品質管理情報を一括して保持することで、システムに属するすべてのプリンタについての品質管理を包括的に行うことができる。
なお、管理センタパソコン２２へのデータの保存は、上のようにネットワーク経由に限定されるものではなく、手入力でもよく、また、ローカルネットワークによるものであってもよい。
【００２３】
以下、本実施形態の作用を説明する。
上で述べたような本実施形態のプリンタ画質測定システムにおける鮮鋭度測定は、次の（１）〜（６）のような手順で行われる。
（１）品質管理パソコン２０で鮮鋭度測定用パターンおよび調整用パターンを発生させ、これを品質管理を行おうとするプリンタ（例えばプリンタＡ１２）へネットワーク経由で送り、透過フィル１６に出力する。
（２）調整用パターンおよび鮮鋭度測定用パターンが出力された透過フィルム１６をシャーカステン３０上に配置し、これを固体撮像素子を用いた撮影手段１８でプレ撮影する。
（３）品質管理パソコン２０は、プレ撮影による調整用パターンの撮影データを解析して、本撮影の撮影条件を決定する。
（４）固体撮像素子を用いた撮影手段１８は、決定された撮影条件で透過フィルム１６上の鮮鋭度測定用パターンを撮影する。
（５）品質管理パソコン２０は、本撮影による鮮鋭度測定用パターンの撮影データを解析し、鮮鋭度を算出する。
（６）算出された鮮鋭度を、プリンタＡ１２および品質管理センタパソコン２２等へ出力する。
【００２４】
本実施形態において、固体撮像素子を用いた撮影手段１８のプレ撮影および本撮影は、品質管理パソコン２０の制御によって自動的に行われる。また、プレ撮影および本撮影における固体撮像素子を用いた撮影手段１８の撮影条件の調整も、同様に自動的に行われる。
プレ撮影で、固体撮像素子を用いた撮影手段１８の出力が飽和してしまった場合には、条件を変えて上記（２）プレ撮影と（３）調整用パターン撮影データの解析を再度行う。また、これを所定回数だけ繰り返しても適正なプレ撮影が行えない場合には、エラーが発生した旨を出力して、処理を終了してもよい。
また、シャーカステン３０の輝度が高過ぎる場合には、固体撮像素子を用いた撮影手段１８にＮＤフィルタを装着して撮影するようにしてもよい。
【００２５】
このような本実施形態の測定システムにおいて、高精度な画質測定を行うためには、プリンタＡ１２の１画素に対して、固体撮像素子を用いた撮影手段１８の撮像素子の画素（例えば、ＣＣＤセンサの画素）が８×８＝６４画素以上が対応するような倍率Ｍで撮影するのが好ましい（すなわち、８倍以上のオーバーサンプリングを行うのが好ましい）。例えば、プリンタＡ１２の１画素のサイズが１００μｍ×１００μｍで、固体撮像素子を用いた撮影手段１８の１画素のサイズが１０μｍ×１０μｍである場合には、１００Ｍ／１０≧８、すなわちＭ≧０．８となり、０．８倍以上の倍率で撮影するのが好ましい。
【００２６】
マクロレンズは、一般的に等倍撮影までは収差を少なく撮影できるので、この例はこの点でも妥当である。プリンタ１画素、５０μｍの場合、５０Ｍ／１０≧８より、Ｍ≧１．６となる。また、固体撮像素子を用いた撮影手段１８の１画素が１０μｍの場合、マクロレンズとベローズを組み合わせることにより、１．６倍以上の拡大撮影にする。また、メディア（記録媒体）の透過輝度測定を適正に行うために、撮影は、室内灯を消すか、または暗幕を使用して外部から遮光した状態にして、あるいはこれらを併用した状態で、撮影するのが好ましく、さらに、三脚を用いて撮影を行うのが好ましい。
【００２７】
次に、プレ撮影による本撮影の撮影条件の決定について説明する。
固体撮像素子を用いた撮影手段１８の露出、すなわちＣＣＤ等のセンサの露出Ｅは、基本的に被写体の明るさ（被写体輝度）Ｌａ、露光時間（シャッタースピード）ｔ、絞り値ｆ、および撮影感度Ｓ（例えば、フィルムのＩＳＯ感度に相当するデジタルカメラの撮影感度）で決定され、次の式で表される。
Ｌａ×ｔ×Ｓ／ｆ２  ＝Ｅ
また、本実施形態においては、シャーカステン３０の輝度をＬｓ、フィルム１６の濃度をＤ（透過濃度）とすると、固体撮像素子を用いた撮影手段１８の入力輝度Ｌは、次の式で表される。
Ｌ＝Ｌｓ×１０−Ｄ
【００２８】
撮影条件としては、露出過多や露出不足にならず、撮影データの全域において階調特性が飽和しない（８ビットであれば、撮影データ０〜撮影データ２５５まで全域を有効に使える）ような基本撮影条件を設定し、かつ、この基本撮影条件下における被写体輝度と撮影データとの関係を調べ、品質管理パソコン２０に記憶しておく。
【００２９】
このような撮影データには、固体撮像素子を用いた撮影手段１８の特性によって、出力信号に暗レベルが乗る、すなわち、撮影データに暗レベルデータが乗ってしまう場合がある。この際には、品質管理パソコン２０に暗レベルデータを記憶しておき、こん質管理パソコン２０は、固体撮像素子を用いた撮影手段１８による撮影生データから暗レベルデータを減算して、撮影データの処理を行うのが好ましい。
暗レベルは、センサの暗電流やサーマルノイズに依存するものであり、シャッタを閉塞した状態もしくはレンズキャップをした状態（すなわち、入射光がない状態）で撮影することにより、暗レベルデータを測定できる。
【００３０】
プレ撮影にあたり、品質管理パソコン２０は、調整用パターンおよび鮮鋭度測定用パターンを発生し、プリンタＡ１２に送り、プリンタＡ１２からフィルム１６に出力する。
図２に、フィルム１６に出力された調整用パターンおよび鮮鋭度測定用パターン（ＣＴＦ測定用パターン）を含むテストパターン４０の例を示す。図２に示すように、テストパターン４０は、主走査方向のＣＴＦ測定用パターン４２ａと、副走査方向のＣＴＦ測定用パターン４２ｂを、鮮鋭度測定用パターンとして有する。また、テストパターン４０は、これ以外に、調整用パターンとして、ローベタ部４４、ハイベタ部４６および黒ベタ部４８を有している。
【００３１】
ディスプレイの場合には、表示する画像を自由に変えられるが、フィルムの場合には、フィルムに記録された画像（テストパターン）は固定で、変えることはできないため、図２に示すように、１つのフィルム１６に調整用パターンおよび鮮鋭度測定用パターンの両方を出力した、オールインワンの構成とすることが好ましい。これにより、ベタ部とＣＴＦを同時にキャプチャすることができる。
【００３２】
次に、テストパターン４０が記録されたフィルム１６（透過フィルム）をシャーカステン３０上に設置して、固体撮像素子を用いた撮影手段１８でプレ撮影を行う。プレ撮影は、フィルム１６上の調整用パターンであるベタ部４４、４６、４８を等倍で撮影する。プレ撮影による撮影データは、品質管理パソコン２０に送られる。
プレ撮影の条件は、特に限定はないが、露光時間ｔは０．１秒〜０．５秒程度とするのが好ましく、絞り値ｆは、被写界深度を大きくとるために、大きくする（絞る）ことが好ましい。
【００３３】
プレ撮影の撮影データを受け取った品質管理パソコン２０は、プレ撮影の撮影条件、固体撮像素子を用いた撮影手段１８の基本撮影条件および基本階調特性を用いて、ベタ部の画像（ベタ画像）の輝度を求める。
ただし、撮影データが飽和してしまった場合等には、撮影条件を変え、再度プレ撮影を行う。また、プレ撮影の固体撮像素子を用いた撮影手段１８の撮影条件の調整をオペレータが行った場合には、固体撮像素子を用いた撮影手段１８から撮影条件の情報を品質管理パソコン２０に転送し、もしくはオペレータがプレ撮影の撮影条件を品質管理パソコン２０に入力するようにすればよい。
なお、このような輝度の算出（撮影データの処理）の前に、固体撮像素子を用いた撮影手段１８が暗レベルを有する場合には、固体撮像素子を用いた撮影手段１８による撮影生データから暗レベルデータを減算して撮影データとする。
【００３４】
プレ撮影の撮影データを受け取った品質管理パソコン２０は、上記ベタ画像の輝度を固体撮像素子を用いた撮影手段１８で撮影した際の撮影データが、中間付近の値（例えば、撮影データが８ビットであれば、１２７付近の値）の撮影データとなるように、本撮影の撮影条件（露光時間ｔ、撮影感度Ｓおよび絞り値ｆ）を決定する。
なお、本撮影の撮影条件も露光時間ｔは、０．１秒〜０．５秒程度とし、絞り値ｆは大きくするのが好ましい。
【００３５】
本撮影の撮影条件が決定したら、品質管理パソコン２０は、固体撮像素子を用いた撮影手段１８を制御して、本撮影を行う。本撮影により、ＣＴＦ測定用パターン４２ａ、４２ｂを撮影した撮影データは、品質管理パソコン２０に送られ、解析される。
例えば、図のテストパターン４０中の主走査方向のＣＴＦ測定用パターン４２ａの濃度分布が図３（ａ）に示すようになっているとき、これを固体撮像素子を用いた撮影手段１８で撮影した結果が、図３（ｂ）に示すような形であったとする。
【００３６】
品質管理パソコン２０は、この情報より振幅を解析して、ＣＴＦを算出する。このようにして、例えば図３（ｃ）に示すようなＣＴＦカーブが得られたとする。品質管理パソコン２０は、この結果をディスプレイ３２あるいはローカルプリンタ３４に出力するとともにプリンタＡ１２および品質管理センタパソコン２２に転送する。
また、品質管理パソコン２０は、このようにして得られた鮮鋭度の測定結果を、時系列に蓄積していき、プリンタの性能変化の監視に用いる。これには、例えば、主／副走査方向のナイキスト周波数でのＣＴＦ値を用いることが好ましい。このためには、品質管理パソコン２０内に、これらのデータ（品質管理情報）を保存するために必要な量のメモリ機能を搭載しておく必要がある。
【００３７】
図４に、このような主／副走査方向のナイキスト周波数でのＣＴＦ値の経時的な変化を表にしたものを示す。また、これをグラフ化したものを図５に示す。
このような表（図４）あるいはグラフ（図５）を、ネットワークを介してプリンタＡ１２へ転送し、出力することで、当該プリンタＡ１２の出力画像の品質を容易に把握することができ、プリンタＡ１２の品質管理を容易に行うことができる。
なお、これらのデータは、品質管理パソコン２０に付設されたローカルプリンタ３４等から出力してもよい。また、これらのデータは、品質管理パソコン２０のメモリに蓄積されるとともに、品質管理センタパソコン２２にも送られて、保存される。
【００３８】
次に、本発明の第２実施形態について説明する。
本実施形態は、ＣＴＦ測定用パターンを反射ペーパに出力して、これに反射照明をあてて、固体撮像素子を用いた撮影手段（例えば、デジタルカメラ）で撮影して、鮮鋭度を測定するようにしたものである。
すなわち、本実施形態は、第１実施形態とは透過フィルムが反射ペーパに代わり、またそのため透過照明が反射照明に代わった点が異なるのみであり、これ以外の点については、第１実施形態と同様である。
従って、特に第１実施形態と異なる、反射ペーパを固体撮像素子を用いた撮影手段（例えば、デジタルカメラ）で撮影する部分について説明し、他の部分については詳しい説明は省略する。
【００３９】
図６に、本実施形態に係る反射ペーパの撮影系を示す。
図６に示すように、本実施形態においては、図２に示すようなテストパターン５２が出力された反射ペーパ５０を、ドーム型照明５４で照明して、固体撮像素子を用いた撮影手段（例えば、デジタルカメラ）５６で撮影（プレ撮影および本撮影）する。
得られた撮影データは、品質管理パソコン２０に転送され、解析されて鮮鋭度が算出される。
【００４０】
反射ペーパ５０は、図示を省略した平板な平面上に置かれ、その上に記録されたテストパターン５２を覆うように、ドーム型照明５４が配置される。
ドーム型照明５４は、遮光性を有する半球状のドーム５８と、その上部に設けられた光源部６０とから成る。ドーム５８は、外光をカットして、光源部６０からの光のみが被写体（反射ペーパ５０）を照明するようにするためのものである。
【００４１】
光源部６０は、光源であるＬＥＤ６０ａと、ＬＥＤ６０ａから射出された光を拡散する拡散板６０ｂと、拡散された光を被写体側に反射するハーフミラー６０ｃを有している。また、光源部６０の上部は、固体撮像素子を用いた撮影手段５６のレンズ部を嵌め込むための開口部６０ｄが設けられている。
この開口部６０ｄに固体撮像素子を用いた撮影手段５６のレンズ部を嵌め込んで、真下のテストパターン５２の撮影が行われる。
【００４２】
このようなドーム型照明５４としては、特に限定はされないが、例えば、日進電子製のドーム型照明ＷＭＶ−８０２０等が好適に例示される。
これによれば、反射ペーパ５０の表面から固体撮像素子を用いた撮影手段５６のレンズ面まで６３ｍｍ以上の距離（ワーキングデスタンス）が確保され、マクロレンズを使用することができ、好ましい。
【００４３】
以上のように構成された撮影系を用いて、プレ撮影および本撮影を行って、ＣＴＦ測定用パターンの撮影データを得たら、これを品質管理パソコン２０で解析し、鮮鋭度を算出する等の処理は、前述した第１実施形態と同様である。
【００４４】
以上、説明した実施例によれば、病院等のプリンタ設置先において、ＣＴＦ測定を行うことができ、鮮鋭度測定機能を内蔵していないプリンタでも、鮮鋭度を測定し、定量的なプリンタ品質管理が可能となる。
【００４５】
なお、本発明のプリンタ画質測定システムは、鮮鋭度測定のみに限定されるものではなく、例えば、粒状性定量化に使用することも可能である。
また、プリンタに内蔵されている２次元センサあるいはシェーディング測定器によりＣＴＦを測定するようにしてもよい。
【００４６】
以上、本発明のプリンタ画質測定システムについて、詳細に説明したが、本発明は、以上の実施形態に限定されるものではなく、本発明の要旨を逸脱しない範囲において、各種の改良や変更を行ってもよいのはもちろんである。
【００４７】
【発明の効果】
以上、説明した通り、本発明によれば、病院等のプリンタ設置先において、ＣＴＦ測定を行うことができ、鮮鋭度測定機能を内蔵していないプリンタでも、鮮鋭度を測定し、定量的なプリンタ品質管理が可能となる。
【図面の簡単な説明】
【図１】本発明に係るプリンタ画質測定システムの一実施形態の概略を示すブロック図である。
【図２】本実施形態で鮮鋭度測定に用いられるテストパターンを示す説明図である。
【図３】（ａ）はＣＴＦ測定用パターンを示し、（ｂ）はこのＣＴＦ測定用パターンを固体撮像素子を用いた撮影手段（デジタルカメラ）で撮影したデータを示し、（ｃ）はこのデータをフーリエ変換した結果を示す説明図である。
【図４】主／副走査方向のナイキスト周波数でのＣＴＦ値の経時的な変化を表にして示した説明図である。
【図５】図４の結果をグラフ化して示す線図である。
【図６】本発明の第２実施形態に係る撮影系の概略を示す説明図である。
【符号の説明】
１０    バス
１２    プリンタＡ
１２ａ  インターフェイス
１２ｂ  ＱＣメモリ
１２ｃ  ディスプレイ（ユーザＩ／Ｆディスプレイ）
１４    プリンタＢ
１６    透過フィルム
１８、５６  固体撮像素子を用いた撮影手段（デジタルカメラ）
２０    品質管理パソコン（ＱＣ−ＰＣ）
２２    品質管理センタパソコン
３０    シャーカステン
３２    ディスプレイ
３４    ローカルプリンタ
４０、５２  テストパターン
４２ａ  主走査方向ＣＴＦ測定用パターン
４２ｂ  副走査方向ＣＴＦ測定用パターン
４４    ローベタ部
４６    ハイベタ部
４８    黒ベタ部
５０    反射ペーパ
５４    ドーム型照明
５８    ドーム
６０    光源部
６０ａ  ＬＥＤ
６０ｂ  拡散板
６０ｃ  ハーフミラー
６０ｄ  開口部
【図１】
2004239665.tif 000003
【図２】
2004239665.tif 000004
【図３】
2004239665.tif 000005
【図４】
2004239665.tif 000006
【図５】
2004239665.tif 000007
【図６】
2004239665.tif 000008